(57)【要約】【課題】本発明は、携帯キーを用いた施錠装置において、利便性を高めることを目的とするものである。【解決手段】そしてこの目的を達成するために、本発明は扉３の室内外側にそれぞれノブ５、６を設け、これらノブ５，６にはそれぞれタッチセンサ８，９および室内、外アンテナ１０、１１を設け、これらを用いて携帯キーとの間で交信を行いながら、扉３の解錠制御を行う。また、携帯キー１６を保有しない時でも強制解錠スイッチ１２を操作すれば、強制解錠することができるものである。【選択図】図３
2006097257.tif 000002
【特許請求の範囲】
【請求項１】
錠付きの扉を有する空間と、前記扉の内外にそれぞれ設けられたノブと、これら内外のノブにそれぞれ設けられたタッチセンサと、前記室内外にそれぞれ設けられた室内アンテナおよび室外アンテナと、これら室内、外アンテナに接続された制御器と、前記室内、外アンテナとの間で交信を行うキーとを備え、
前記室内側に強制解錠スイッチを設け、この強制解錠スイッチの操作により、錠を所定時間強制解錠する構成とした施錠装置。
【請求項２】
制御器はキーと室内、外アンテナとの交信により、キーが保有する識別情報が特定情報と一致した場合に、扉の錠を解錠する構成とした請求項１に記載の施錠装置。
【請求項３】
制御器は扉の強制解錠スイッチが操作されてから再び施錠されるまでの間に警報を発する構成とした請求項１または２に記載の施錠装置。
【請求項４】
制御器は警報が発された後に、室外側のタッチセンサへの接触により解錠時間を延長する構成とした請求項１から３のいずれか１つに記載の施錠装置。
【請求項５】
制御器は警報が発された後に、室外側のタッチセンサへの接触により、キーと室内アンテナとの交信を試み、キーとの交信が行えた場合には、解錠時間の延長をしない構成とした請求項１から３のいずれか１つに記載の施錠装置。
【請求項６】
制御器は警報が発された後に、室外側のタッチセンサへの接触により、キーと室外アンテナとの交信を試み、キーとの交信が行えた場合には、直ちに施錠を行う構成とした請求項１から３のいずれか１つに記載の施錠装置。
【発明の詳細な説明】
【技術分野】
【０００１】
本発明は、建物や車などに用いられる施錠装置に関するものである。
【背景技術】
【０００２】
近年、例えば車において、鍵穴に直接キーを差し込んで操作をしなくても解錠できるシステムが実用化され、好評を博している。すなわち、そのような物は、車の所有者にはキーが渡され、そのキーを所有する使用者が車の扉の室外側ノブにタッチすると、その時にキーと室外アンテナとの間で交信を行い、この交信により、キーが所有する識別情報が、車の制御器が管理している特定の情報と一致した場合に、扉の錠を解錠する構成としたものである。
【０００３】
なお、この様な従来例としては、特許文献１に示すものが存在する。
【特許文献１】特開昭６０−１５９２５９号公報
【発明の開示】
【発明が解決しようとする課題】
【０００４】
上記のように、いわゆる、鍵穴に鍵を差し込まずに錠の解錠を行うシステムは非常に使いやすく、近年多く、車に採用されるようになってきた。このようなシステムを、例えば、家に設置しようとした場合には、同じようにそのキーを保有する所有者が室外側のノブに設けられたタッチセンサに接触すると、その状態でキーと室外側アンテナとの交信を行い、ここで上記車の場合と同じように、キーが保有する識別情報が、制御器が保有する特定情報と一致すれば、錠を解錠することとなる。
【０００５】
所有者はそのようにして室内に入り、その後、この室内から室外に出る時には、再び、扉の室内側に設けられたノブを操作しようとする。この時、手が扉に触れた瞬間に、タッチセンサがキーの識別情報と制御器の特定情報を再び比較し、その情報が一致した場合に錠を解錠し、これにより所有者は室外側へと出かけることができる。
【０００６】
しかし、日常生活において、例えば、室内側のゴミを家のすぐ目の前にある収集場所に持ち出そうとした場合、その場合においても、キーを保有していないと、持ち出せないことがある。これは日常生活においては非常にわずらわしく、いちいち、少しの瞬間的な外出でも、キーを探し、それから出かけることになり、非常に使い勝手が悪いものとなる。
【０００７】
そこで、本発明は、施錠装置において、使い勝手を高めることを目的とするものである。
【課題を解決するための手段】
【０００８】
そしてこの目的を達成するために、本発明は、室内側に強制解錠スイッチを設け、この強制解錠スイッチの操作により、錠を所定時間、強制解錠する構成にしたものである。
【０００９】
すなわち、このように室内側に強制解錠スイッチを設ければ、その操作により、錠は所定時間、解錠され、これによりキーの保有者などは室外側への瞬時の作業をするための外出が可能になる。よって、非常に使い勝手のよいものとなる。
【発明の効果】
【００１０】
以上のように本発明は、キーを用いた室内、外アンテナとの交信により扉の錠を解錠する構成とした施錠装置において、室内側に強制解錠スイッチを設けたものであるので、室内側から瞬時の外出時などにはわざわざキーを保有することなく、この強制解錠スイッチを操作すれば外出を行うことができ、非常に利便性の高いものとなる。
【発明を実施するための最良の形態】
【００１１】
図１は本発明の一実施形態を家屋に設置した例を示すものである。図１において、１は外壁で、この外壁１で囲まれた部分が室内２となる。また、外壁１の一箇所には扉３が開平自在に設けられている。この扉３には、図３で示す錠４が設けられている。また、この扉３の室内、外側にはそれぞれノブ５，６が設けられている。
【００１２】
このような部分をさらに詳細に示したものが図２である。図２において、２は室内を示し、７は室外を示す。
【００１３】
扉３には上述したノブ５，６以外に次に示すものが装備されている。すなわち、室内２側のノブ５にはタッチセンサ８が、また、室外７側のノブ６には、タッチセンサ９がそれぞれ設けられている。さらに、室内２側のノブ５には室内アンテナ１０が、ノブ６には室外アンテナ１１が設けられている。
【００１４】
さらにこの扉３の室内２側の面には強制解錠スイッチ１２、および、この強制解錠スイッチ１２による強制解錠時間を示すディスプレイ１３が設けられている。
【００１５】
このような部品は回路図としては図３に示すように配置されている。すなわち、タッチセンサ８，９および室内アンテナ１０、室外アンテナ１１、さらに、強制解錠スイッチ１２、さらにディスプレイ１３は制御器１４に接続されている。さらに制御器１４には警報器１５が接続されている。
【００１６】
この図３において、１６は名刺サイズ状の携帯キーである。この携帯キー１６には制御器１７とアンテナ１８が内蔵されている。
【００１７】
なお、図１において、１９は扉３の開閉状態を検出するためのドアスイッチである。
【００１８】
以上のような構成において、次にその操作について説明する。
【００１９】
まず、図４はメインの制御フローを示している。このフローで示すように、まず、制御器１４がスタートすると、システムの初期化が行われ、次に、室外側タッチセンサ９に接触があるか否か、および室内側タッチセンサ８に接触があるか否か、さらに強制解錠スイッチ１２が操作されたか否かが常に監視されている。
【００２０】
さて、その状態で、携帯キー１６の所有者が図１において扉３が閉じられた状態で、家に戻り、室外側のノブ６に触れると、室外側タッチセンサ９がその接触を検知することになり、この場合のフローは図５に示す。すなわち室外側タッチセンサ９に接触が感知されると、制御器１４は室外アンテナ１１と携帯キー１６のアンテナ１８との間で交信を試みることになる。それにより携帯キー１６が保有する識別情報と制御器１４が保有する特定情報が一致した場合には、図３に示す錠４を解錠することになる。もちろん、この情報が一致しない場合には錠４を解錠せずに再び図４に示す監視状態に戻る。
【００２１】
ここで携帯キー１６の保有者は室内２側に入ることができる。室外７から室内２に入ったことは、扉３が「閉状態→開状態→閉状態」となることから判断でき、扉３の開閉状態はドアスイッチ１９により検出できる。これにより、携帯キー１６の保有者が室外７から室内２に入ったと判断した時点で、錠４を施錠し、再び図４に示す監視状態に戻る。
【００２２】
以上の操作が、屋外からの所有者が自宅に戻る場合に行う操作を示している。
【００２３】
さて、次に、携帯キー１６の所有者が室内２から室外７に出かける場合のフローを示したものが図６である。
【００２４】
この場合は、室内側タッチセンサ８に接触が感知されると、制御器１４は室内アンテナ１０と携帯キー１６のアンテナ１８との間で交信を試みることになる。それにより携帯キー１６が保有する識別情報と制御器１４が保有する特定情報が一致した場合には、図３に示す錠４を解錠することになる。もちろん、この情報が一致しない場合には錠４を解錠せずに再び図４に示す監視状態に戻る。
【００２５】
ここで携帯キー１６の保有者は室外７側に出ることができる。室内２から室外７に出たことは、扉３が「閉状態→開状態→閉状態」となることから判断でき、扉３の開閉状態はドアスイッチ１９により検出できる。これにより、携帯キー１６の保有者が室内２から室外７に出たと判断した時点で、錠４を施錠し、再び図４に示す監視状態に戻る。
【００２６】
以上の操作が、室内２の所有者が室外７に出る場合に行う操作を示している。
【００２７】
さて、最後に図７は室内２側にいる携帯キー１６の所有者が、例えば、ゴミを搬出するための一時的な外出時の操作を示している。この場合、例えば、まず所有者は扉３の前で強制解錠スイッチ１２を操作することになる。この操作をすると、直ちに制御器１４は錠４を強制解錠することになる。この解錠時間は予め決めており、例えば、強制解錠スイッチ１２を１度押すと１分の強制解錠、２度押すと２分の強制解錠が行われるようになっており、その強制解錠時間および強制解錠状態の残り時間はディスプレイ１３に表示されている。これによって強制解錠された扉３部分から使用者は、例えば、ゴミの搬出をし、その状態で戻ってくる。
【００２８】
そのような状態において所有者が、例えば、当初２分以内で部屋に戻ろうとしたにも関わらず、扉３の外で例えば知人と話が弾み、当初の２分以内では室内２に戻りかねる状態が発生したと仮定すると、その場合には、残り３０秒になった状態で警報器１５が警報を発することになる。
【００２９】
この警報が発された場合に、使用者は室外７側のノブ６に手を触れると、１分の解錠延長が行えることになる。ただし、この場合において、本実施形態において考慮されているのは、強制解錠スイッチ１２を操作しての室外へ出た状態であるけれども、この場合にその使用者が携帯キー１６を保有した状態で室外側に出ている場合と、持っていない場合では、その上述した解錠延長の状況が大きく異なることとなる。
【００３０】
例えば上述した室外側のノブ６にタッチすれば解錠時間が延長されると言うときは、携帯キー１６を保有していない状態を説明しており、携帯キー１６を保有した状態で室外に出た場合には、警報器１５からの警報が発された時に慌てて使用者が室外側のノブ６に接触しても、その時に室外側のノブ６に接触したことで、室外アンテナ１１と携帯キー１６のアンテナとの間の交信で、上述した識別情報などの照合がすべて行われ、真に所有者が携帯キー１６を持って室外側にいると判断された場合には、ノブ６に触った場合であったとしても延長は行わない。なぜならば、所有者が携帯キー１６を保有した状態であるので、このような延長行動をする必要がない。この様に延長をすればするほど、誰でも入れる状態が存在するわけであるから、むやみに延長をすることは安全上好ましいこととは言えない。
【００３１】
また、このような携帯キー１６を使用者が持った状態で室外側に出た場合に、上述した例では、強制解錠の延長をやめようという説明をしたが、直ちに強制解錠状態をキャンセルし、施錠をしてしまうような安全対策上、さらに好ましいものとすることもできる。
【００３２】
なお、上述した例では、錠４を施錠する条件として、解錠してから、扉３が「閉状態→開状態→閉状態」と変化するのを検出した時としたが、解錠してから所定時間経過後に施錠することも安全対策上、有効である。
【００３３】
また、携帯キー１６の保有者が、室外から室内へ移動したことの検出は、解錠後に扉３が「閉状態→開状態→閉状態」と変化するのを検出した時としたが、さらに、この変化の検出後に、制御器１４が室外アンテナ１１を解して携帯キー１６との交信を試み、携帯キー１６が保有する識別情報と制御器１４が保有する特定情報が一致した時とすることもできる。この場合、使用者が携帯キー１６を所有して室内側から解錠したにも関わらず、誤って、携帯キー１６を保有せずに室外側に出てしまい、室外側に閉め出されてしまうことを防止できる。
【産業上の利用可能性】
【００３４】
以上の様に本発明は、携帯キーを用いて扉の解錠制御を行うものであるので、非常に利便性が高く、さらに、強制解錠の延長を停止することなどもできるようにすれば、安全性を高めることもでき、施錠装置として非常に有益なものとなる。
【図面の簡単な説明】
【００３５】
【図１】本発明の一実施形態を示す模式図
【図２】その扉部分を示す平面図
【図３】その制御ブロック図
【図４】メインのフローチャート
【図５】サブのフローチャート
【図６】サブのフローチャート
【図７】サブのフローチャート
【符号の説明】
【００３６】
２  室内
３  扉
４  錠
５  ノブ
６  ノブ
７  室外
８  タッチセンサ
９  タッチセンサ
１０  室内アンテナ
１１  室外アンテナ
１２  強制解錠スイッチ
１３  ディスプレイ
１４  制御器
１５  警報器
１６  携帯キー
１７  携帯キーの制御器
１８  携帯キーのアンテナ
【図１】
2006097257.tif 000003
【図２】
2006097257.tif 000004
【図３】
2006097257.tif 000005
【図４】
2006097257.tif 000006
【図５】
2006097257.tif 000007
【図６】
2006097257.tif 000008
【図７】
2006097257.tif 000009